(57)【要約】      （修正有）【課題】スタイリッシュで、雨風を通さず保温性が良く手の出し入れがスムーズであり、夜道でも安全に自転車を運転できるサイクルグローブを提供する。【解決手段】ミトン型の手袋形状で、親指収容袋５ｂと親指以外の４本指収容袋を備え、雨を通さず気密性を有するウエットスーツ素材で挟んで接着した生地を縫製して作られ、内側表面には面ファスナー８ｂ付きの固定紐７ｂが縫製され固定紐を自転車のハンドルグリップ１１ｂに巻きつけて固定する。駐輪時には自転車ハンドル１０ｂにサイクルグローブ１ｂを丸めて外側表面の面ファスナーで留めて収納する。【選択図】図５
0003192393.tif 000002
【実用新案登録請求の範囲】
【請求項１】
親指収容袋と親指以外の４本指収容袋を備えたミトン型の手袋形状の自転車用ハンドルカバーで、雨を通さず気密性を有するウエットスーツ素材で弾性体を挟んで接着した生地を縫製して作られ、該ハンドルカバーの内側表面中央部には、自転車ハンドルに固定するための面ファスナー付きの固定紐が縫製され、該ハンドルカバーの外側表面の該４本指収容袋の先端付近と、該ハンドルカバーの外側表面の手差込口付近に、該ハンドルカバーを自転車ハンドルに巻き付けて収納し固定するための面ファスナーが縫製されていることを特徴とするサイクルグローブ。
【請求項２】
上記サイクルグローブの外側表面中央部に反射テープが張られている請求項１記載のサイクルグローブ。
【考案の詳細な説明】
【技術分野】
【０００１】  この考案は、自転車のハンドルに装着して、運転者の手指の防寒をはかる自転車用ハンドルカバーに関するものである。
【背景技術】
【０００２】  従来、この種の自転車用ハンドルカバーとしては、外面を防水処理し、内面にパイル層と化繊毛層等の保温層を形成した布製のものや、皮革製のものが一般に多く用いられている。実録第３０３８６０９号にあるように、ハンドル挿入口の近傍に、操作レバー等を操作可能に収納する操作レバー用空間を作り、外部から透視可能な透視部を設けたものや、また、特開平１０−３１６０７０にあるように、ハンドル挿入口の位置を、手挿入口と対向する側からハンドルカバーの下方側までの範囲内でスライドファスナー等の開閉手段によって開閉自在とし形式の異なる各種ハンドルに対して、１つのハンドルカバーによって対応させたものがある。
【先行技術文献】
【特許文献】
【０００３】
【特許文献１】実録第３０３８６０９号
【特許文献２】特開平１０−３１６０７０
【考案の概要】
【考案が解決しようとする課題】
【０００４】  従来品は、実用的だが時代遅れである、年々スタイリッシュになる自転車とミスマッチである、ハンドルの形状を考慮した実用的な形状であるが、隙間から雨風が入る、呼びベル操作が不便であるなどの問題がある。また、駐輪中に雨水に濡れると内面の保温層に水を含み、使用に不適となるというような問題がある。操作レバー用空間を作り外部から透視可能にしたものは、透視が完全でなく操作レバーの操作がしにくい問題や、従来品と同様に隙間から雨風が入る問題や駐輪中に雨水に濡れる問題がある。また、ハンドル挿入口の位置を手挿入口と対向する側からハンドルカバーの下方側まで開閉自在にしたものは、隙間を完全に塞げず、従来品と同様に隙間から雨風が入り、駐輪中に雨水に濡れる問題がある。
【課題を解決するための手段】
【０００５】  本考案のサイクルグローブは、上記の課題を解決すべく考案されたもので、自転車ハンドル周りの変速機や呼びベルなどを楽に操作でき、スタイリッシュでスポーティなミトン型の手袋形状で、親指収容袋と親指以外の４本指収容袋を備えている。また、雨を通さず気密性を有するウエットスーツ素材で弾性体を挟んで接着した生地を縫製して作られる。内側表面には面ファスナー付きの固定紐が縫製され、固定紐を自転車のハンドルグリップに巻きつけて面ファスナーで接合してサイクルグローブを自転車ハンドルに固定する。【０００６】  駐輪時には、サイクルグローブを自転車ハンドルに巻き付け、サイクルグローブ内側表面の４本指収容袋先端付近の面ファスナーをサイクルグローブ外側表面の手差込口付近の面ファスナーに被せて接合して収納するので、屋外に駐輪しても雨水が容易にサイクルグローブ内に入らず内部が濡れずに再使用時には快適である。【０００７】  サイクルグローブを自転車ハンドルに固定する面ファスナーは、転倒時など負荷がかかると着脱でき安全である。【０００８】  サイクルグローブの外側表面中央部には反射テープが貼られており夜道でも安全に自転車を運転できる。
【考案を実施するための形態】
【０００９】
【実施例１】
【００１０】  本考案のサイクルグローブの実施例を図を用いて説明する。図１は、本考案の右左サイクルグローブの外側表面図である。右左サイクルグローブ１ａ、１ｂの外側表面の手差込口４ａ、４ｂ付近には短冊状のファスナーテープ３ａ、３ｂが縫製させている。ファスナーテープ３ａ、３ｂは、図３にあるように長手方向の略半分が右左サイクルグローブ１ａ、１ｂに縫製され、残り半分が自由端となっている。自由端側が凹面ファスナーとなっており、縫製側が凸面ファスナーとなり自由端側を折り畳んで凹凸面ファスナーがお互いに接合されている。また、右左サイクルグローブ１ａ、１ｂの外側表面の中央部には反射テープ２ａ、２ｂが貼られている。これは、夜間自転車に乗ったとき、対向車の照明がこれにあたり光を反射して対向車に自転車の存在を知らしめ自転車の安全走行を確保するためのものである。【００１１】  また、図２は、本考案の右左サイクルグローブの内側表面図である。右左サイクルグローブ１ａ，１ｂの親指以外の４本指収容袋の先端付近に凹面ファスナー６ａ、６ｂが縫製されている。中央部には親指収容袋５ａ、５ｂが縫製されている。【００１２】  図３は、本考案の左サイクルグローブの外側表面でファスナーテープを広げた状態図である。手差込口４ｂ付近には広げられた状態のファスナーテープ３ｂがある。自由端側が凹面ファスナー３１ｂで縫製側が凸面ファスナー３２ｂとなっている。これは、ファスナーテープ３ｂを広げた状態にして、駐輪時に、サイクルグローブ１ｂの４本指収容袋の先端を自転車のハンドルグリップ１１ｂに巻きつけて、４本指収容袋先端付近の凹面ファスナー６ｂをファスナーテープ３ｂの凸面ファスナー３２ｂ上に被せて接合して収納するためのものである。左サイクルグローブ１ｂの収納時以外は、邪魔にならないようにファスナーテープ３ｂは二つ折りして凹面ファスナー３１ｂと凸面ファスナー３２ｂを接合しておく。図３は、右サイクルグローブ１ａについても同様でａをｂに読み替える。【００１３】  図４は、本考案の左サイクルグローブの内側表面で親指収容袋を折り返した状態面である。サイクルグローブ１ｂの内側表面の、親指収容袋５ｂの付け根付近にサイクルグローブ１ｂを自転車のハンドルグリップ１１ｂに固定するための短冊状の固定紐７ｂの略中央部が縫製されている。この固定紐７ｂの内側には図５にあるように、凸面ファスナー８ｂが縫製され、外側は凹面ファスナー９ｂが縫製されている。図４は、凹面ファスナー９ｂ上に凸面ファスナー８ｂを被せて凹凸ファスナーをお互いに接合して折り畳んだ状態である。図４は、右サイクルグローブ１ａについても同様でａをｂに読み替える。【００１４】  図５は、本考案の左サイクルグローブの内側表面で固定紐を広げて自転車ハンドルにあてた状態図である。固定紐７ｂは、外側に凹面ファスナー９ｂが縫製されている先端を先に自転車のハンドルグリップ１１ｂに巻き付け、その後、内側に凹面ファスナー９ｂが縫製されている他端をそれに被せるように巻き付けて凹凸ファスナーをお互いに接合して、サイクルグローブ１ｂを自転車ハンドルグリップ１１ｂに固定する。図５は、右サイクルグローブ１ａについても同様でａをｂに読み替える。【００１��】  図６は、本考案の右左サイクルグローブを自転車に装着した状態図である。右左サイクルグローブ１ａ、１ｂは、固定紐７ａ、７ｂで、自転車のハンドル１０ａ、１０ｂの端のハンドルグリップ１１ａ、１１ｂに固定されているので、落下せずにハンドルに保持される。自転車を運転するときは、右左サイクルグローブ１ａ、１ｂの手挿入口４ａ、４ｂに手を挿入して、親指収容袋５ｂと４本指収容袋にそれぞれ指を入れて、ハンドルグリップ１１ａ、１１ｂを親指と４本指で挟んで握る。右左サイクルグローブ１ａ、１ｂの外側表面に反射テープ３ａ、３ｂが貼られているが、自転車運転時に、対向車の照明がこれにあたり光ることにより自転車の安全が確保される。【００１６】  図７は、駐輪時における本考案の右左サイクルグローブの収納状態図である。右左サイクルグローブ１ａ、１ｂの収納方法は、右左サイクルグローブ１ａ、１ｂから手を抜いた後、右左サイクルグローブ１ａ、１ｂの外側表面のファスナーテープ３ａ、３ｂを広げる。次に、サイクルグローブ１ａ、１ｂの４本指収容袋の先端を自転車のハンドル１１ａ、１１ｂに巻きつけて、４本指収容袋の先端付近の凹面ファスナー６ａ、６ｂをファスナーテープ３ａ、３ｂの凸面ファスナー３２ａ、３２ｂの上に被せて接合する。【００１７】  自転車の運転中に、転倒時など負荷がかかると、固定紐７ａ、７ｂの面ファスナー８ａと９ａおよび、８ｂと９ｂが外れて、右左サイクルグローブ１ａ、１ｂは、手と共に自転車のハンドル１１ａ、１１ｂから外れるので安全である。【００１８】  サイクルグローブ１ａ、１ｂを丸めて収納することにより、屋外に駐輪しても、サイクルグローブ１ａ、１ｂの内部に雨水が入らず内部が濡れない。広げて再使用するときも快適に使用ができる。【００１９】  自転車ハンドル１０ａ、１０ｂ周りの変速機や呼びベルなどは、サイクルグローブ１ａ、１ｂを自転車に装着した状態で、親指収容袋５ａ、５ｂまたは４本指収容袋を指で動かして容易に操作ができる。【００２０】  サイクルグローブ１ａ、１ｂは、自転車から外して、保管、洗濯することも容易である。
【考案の効果】
【００２１】  本考案のサイクルグローブは、スタイリッシュで、雨風を通さず保温性が良く手の出し入れがスムーズである。転倒時など負荷がかかると面ファスナーが着脱でき安全である。また、駐輪時には自転車ハンドルに丸めて収納するので、屋外に駐輪しても雨水が容易に内部に入らない。外側表面には反射テープが張られており夜道でも安全に自転車を運転できる。
【図面の簡単な説明】
【００２２】
【図１】は、本考案の右左サイクルグローブの外側表面図である。
【図２】は、本考案の右左サイクルグローブの内側表面図である。
【図３】は、本考案の左サイクルグローブの外側表面でファスナーテープを広げた状態図である。
【図４】は、本考案の左サイクルグローブの内側表面で親指収容袋を折り返した状態面である。
【図５】は、本考案の左サイクルグローブの内側表面で固定紐を広げて自転車ハンドルにあてた状態図である。
【図６】は、本考案の右左サイクルグローブを自転車に装着した状態図である。
【図７】は、駐輪時における本考案の右左サイクルグローブの収納状態図である。
【産業上の利用可能性】
【００２３】  冬場などに、自転車のハンドルに装着して、運転者の手指の防寒をはかることができ自転車の運転を快適にすることができる。
【符号の説明】
【００２４】  １ａ、１ｂ  右左サイクルグローブ
２ａ、２ｂ  右左反射テープ
３ａ、３ｂ  右左ファスナーテープ
３１ａ、３１ｂ  凹面ファスナー
３２ａ、３２ｂ  凸面ファスナー
４ａ、４ｂ  手差込口
５ａ、５ｂ  親指収容袋．
６ａ、６ｂ  凹面ファスナー
７ａ、７ｂ  右左固定紐
８ａ、８ｂ  固定紐の凸面ファスナー
９ａ、９ｂ  固定紐の凹面ファスナー
１０ａ、１０ｂ  自転車の右左ハンドル
１１ａ、１１ｂ  自転車の右左ハンドルグリップ
【図１】
0003192393.tif 000003
【図２】
0003192393.tif 000004
【図３】
0003192393.tif 000005
【図４】
0003192393.tif 000006
【図５】
0003192393.tif 000007
【図６】
0003192393.tif 000008
【図７】
0003192393.tif 000009